【事件の表示】
　平成１０年特許願第２３７８８７号「遊技機用の回転リール装置」拒絶査定不服審判事件〔平成１２年　２月２９日出願公開、特開２０００−　６１０２８〕について、次のとおり審決する。
【結　論】
　本件審判の請求は、成り立たない。
【理　由】
１．手続の経緯
　本願は、平成１０年８月２５日の出願であって、平成１６年１月８日に拒絶査定がなされ、これに対し、同年２月１６日に拒絶査定に対する審判請求がなされるとともに、同年３月１７日付けで手続補正がなされたものである。
　　　　　　　　　　　　　　　　　　　　　　　　　　　　　　　　　
２．平成１６年３月１７日付けの手続補正（以下、「本件補正」という。）について
　　　　　　　　　　　　　　　　　　　　　　　　　　　　　　　　　
［補正却下の決定の結論］　
　平成１６年３月１７日付けの手続補正を却下する。
　　　　　　　　　　　　　　　　　　　　　　　　　　　　　　　　　
［理由］
　本件補正により、特許請求の範囲の請求項１は、
「複数の絵柄を外周面に表示し、ステッピングモーターにより回転可能に形成された遊技機用の回転リールと、
　この回転リールの一回転を検出するために発光部及び受光部からなる光センサーとを備えた遊技機用の回転リール装置であって、
　前記回転リールは、
　ステッピングモータの駆動軸に装着される軸受部と、
　この軸受部から放射状に延びた複数本の放射部材と、
　この放射部材の先端と環状に連結された一側を有する円筒部材とを備え、
　この円筒部材は、
　円筒状の外周表面に複数種類の絵柄を表示した絵柄領域と、
　この絵柄領域の片側に隣接し、前記放射部材とは連結されていない側に設けられた、発光部及び受光部により表裏を挟み込まれて一回転を検出可能な透光性を有するインデックス領域とを備え、
　このインデックス領域は、回転リールの一回転に伴って光センサーの発光部と受光部との間を遮光する、所定の絵柄との位置関係が予め決定された遮光部が形成されるとともに、回転リールの円周方向の全周に渡って前記
発光部
（上記記載中、下線（下線は当審で付加）を付した「
発光部
発光部
　　　　　　　　　　　　　　　　　　　　　　　　　　　　　　　　　
　上記補正は、本件補正前の請求項１に記載した発明を特定するために必要な事項である、「（回転リールの）外周表面」について、「回転リールは、ステッピングモータの駆動軸に装着される軸受部と、この軸受部から放射状に延びた複数本の放射部材と、この放射部材の先端と環状に連結された一側を有する円筒部材とを備え、この円筒部材は、円筒状の外周表面」と限定し、「絵柄領域片側の全周に隣接するとともに」について、「絵柄領域の片側に隣接し、前記放射部材とは連結されていない側に設けられた」と限定し、「全周に渡って」について、「回転リールの円周方向の全周に渡って前記発光部からの光を前記受光部へ透過可能な程度に、」と限定するものであって、平成１８年改正前の特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前の特許法第１７条の２第５項において準用する同法第１２６条第５項の規定に適合するか）について以下に検討する。
　　　　　　　　　　　　　　　　　　　　　　　　　　　　　　　　　
（１）引用発明
引用刊行物
　１．特開昭６３−２５５０８１号公報
　２．特開平８−２９４５５６号公報
　　　　　　　　　　　　　　　　　　　　　　　　　　　　　　　　　
　原査定の拒絶の理由に引用された、本願の出願前に頒布された刊行物である上記の各刊行物には、それぞれ次の発明が記載されている。
　　　　　　　　　　　　　　　　　　　　　　　　　　　　　　　　　
(i) 特開昭６３−２５５０８１号公報
　特開昭６３−２５５０８１号公報（以下、「引用例１」という。）には以下の記載がある。
1-a「表面に複数種類の図柄を有するとともに一個所に基準点が設けられた複数の回転ドラムと、これら各回転ドラムのドラム内に配設されるとともに各回転ドラムを回転駆動する複数のパルスモータと、各回転ドラムの上記基準点を検出するセンサとを有する表示装置を備え、特定の入賞口に入賞したときに上記回転ドラムを回転させて基準点を検出し、この基準点の検出時からパルスモータの駆動ステップ数を計数し、その計数結果に基づいて上記回転ドラムを所定の位置に停止させるようにしたことを特徴とするパチンコ遊技機。」（特許請求の範囲）
1-b「ｌｌａ，ｌｌｂ，１１ｃはそれぞれ回転ドラムであり、これらの回転ドラム１１のドラム面には多種類の図柄を印刷したシール等が貼付され、さらにドラム面の縁の一個所には、基準点として反射テープ１２ａ，１２ｂ，１２ｃがそれぞれ貼付されている。１３ａ，１３ｂ，１３ｃはそれぞれパルスモータであり、このパルスモータ１３ａ，１３ｂ，１３ｃは各回転ドラムｌｌａ，ｌｌｂ，１１ｃのドラム内に配設されるとともにそれぞれの回転軸に各回転ドラムｌａ，ｌｂ，ｌｃが取付けられており、各回転ドラムの間隙を介して図示しない固定部材によってケース１５にそれぞれ固定されている。」（第２頁左下欄第１７行−右下欄第１０行）    
　さらに第２図には、上記摘示（1-b）に関連して「回転ドラムｌｌａ，ｌｌｂ，１１ｃ」と「パルスモータ１３ａ，１３ｂ，１３ｃ」との配設関係が示されている。
1-c「１４ａ，１４ｂ，１４ｃは上記反射テープが貼付された回転ドラムｌｌａ，ｌｌｂ，１１ｃの各縁の部分にそれぞれ対向するように配設された反射型のフォトセンサであり、背板１６によって、ケース１５の背面に固定され、このケース１５の背面に開けられた孔を介して照射した光が反射テープ１２で反射され、この反射光を検知して各反射テープ１２ａ，１２ｂ，１２ｃが各フォトセンサ１４ａ，１４ｂ，１４ｃの位置を通過したときにそれぞれ出力信号を出力する。」（第２頁右下欄第１４行−第３頁左上欄第３行）
　　　　　　　　　　　　　　　　　　　　　　　　　　　　　　　　　
　上記の記載より、引用例１には以下の発明（以下、「引用発明１」という。）が記載されていると認められる。
「ドラム面には多種類の図柄を印刷したシール等が貼付されるとともに、ドラム面の縁の一個所には、基準点として反射テープ１２ａ，１２ｂ，１２ｃがそれぞれ貼付された複数の回転ドラムｌｌａ，ｌｌｂ，１１ｃと、これら各回転ドラムｌｌａ，ｌｌｂ，１１ｃのドラム内に配設され、それぞれの回転軸に各回転ドラムｌｌａ，ｌｌｂ，１１ｃが取付けられることで各回転ドラムｌｌａ，ｌｌｂ，１１ｃを回転駆動する複数のパルスモータ１３ａ，１３ｂ，１３ｃと、基準点としての反射テープ１２ａ，１２ｂ，１２ｃが貼付された回転ドラムｌｌａ，ｌｌｂ，１１ｃの各縁の部分にそれぞれ対向するように配設されて、各回転ドラムｌｌａ，ｌｌｂ，１１ｃの上記基準点を検出する反射型のフォトセンサ１４ａ，１４ｂ，１４ｃとを有する表示装置を備え、特定の入賞口に入賞したときに上記回転ドラムｌｌａ，ｌｌｂ，１１ｃを回転させて、各反射テープ１２ａ，１２ｂ，１２ｃが各フォトセンサ１４ａ，１４ｂ，１４ｃの位置を通過したときに、照射した光が基準点である反射テープ１２ａ，１２ｂ，１２ｃで反射され、この反射光を検知してそれぞれ出力信号を出力することで基準点を検出し、この基準点の検出時からパルスモータの駆動ステップ数を計数し、その計数結果に基づいて上記回転ドラムを所定の位置に停止させるようにしたパチンコ遊技機。」
　　　　　　　　　　　　　　　　　　　　　　　　　　　　　　　　　
(ii) 特開平８−２９４５５６号公報
　特開平８−２９４５５６号公報（以下、「引用例２」という。）には以下の記載がある。
2-a「独自に図柄変動停止表示機能を有する複数基の図柄表示ユニット(U)と、夫々の図柄表示ユニット(U)に係る始動停止制御および図柄検出処理制御等をなし得る制御回路装置(E)とを備えて、図柄組合わせ遊技機に使用される図柄可変表示装置にあって、前記複数基の夫々の図柄表示ユニット(U)では、１枚のセット板(11)において、前記制御回路装置(E)側からパルス出力制御される駆動モータ(17)および複数の回転体(19,20,26)を含む回転駆動制御機構(16)と、複種類複数コマ分の図柄(d1,d2)と共に、１つの基準マーク(m1)および複数の図柄マーク(m2)を適宜形成配置して回転体(19,20,26)の外周間に無端状態で掛装された図柄ベルト(B)と、この図柄ベルト(B)の移動過程における所定検出部位で基準マーク(m1)と図柄マーク(m2)とを区分検出してその検出情報を制御回路装置(E)側に入力する適宜光学的な検出判読手段(31)と、制御回路装置(E)側から出力制御されて図柄ベルト(B)の前側帯部分(b1)における図柄(d1,d2)を内側から照明し得る照明具(33)とを夫々組付けて、セット板(11)単位で１基毎の実体表示部に構成すると共に、前記検出判読手段(31)によるセンサ感度判定条件にあって、前記図柄ベルト(B)における全ての図柄(d1,d2)をセンサ感度の高く光透過性の大きい多色インク剤で印刷形成する一方、前記基準マーク(m1)および図柄マーク(m2)をセンサ感度の低く光透過性の小さい蒸着材(j)を利用して形成したことを特徴とする図柄組合わせ遊技機用のベルト式図柄可変表示装置。」（特許請求の範囲の請求項１）
2-b「・・・図柄表示帯Ｓでは、・・・表面側から視認できるカラフルな各種の図柄ｄ1,ｄ2が・・・印刷形成されている一方、裏側の縁部・・・に裏面側から視認できる１つの基準マークｍ1と、図柄１コマ単位毎に対する図柄マークｍ2とが蒸着形成されている。・・・このもとで夫々のマーク検出用の検出判読手段３１が２個の光学センサ３２,３２により、基準マークｍ1を同期的に検出した時点を基準にして、各位置の図柄マークｍ2を順次有検出することにより、１コマ単位毎の読取り検出をなし得るようになっている。」（段落【００１１】）
　さらに図１、図２には、上記摘示（2-b）に関連して「図柄表示帯Ｓ」に形成された「基準マークｍ1」が示されている。
2-c「・・・検出判読手段３１の光学センサ・・・３２,３２がその発光部と受光部との間の検出照射状態にあって、マークｍ1,ｍ2に対しては非光透過状態、つまり実質的には光遮閉状態(光反射状態)を、また図柄ｄ1,ｄ2の各色彩部に対しては好適な光透過状態を夫々呈することになる。・・・」（段落【００２１】）
　　　　　　　　　　　　　　　　　　　　　　　　　　　　　　　　　
　上記の記載より、引用例２には以下の発明（以下、「引用発明２」という）が記載されていると認められる。
「パルス出力制御される駆動モータ(１７)および複数の回転体(１９，２０，２６)を含む回転駆動制御機構(１６)と、複種類複数コマ分の図柄(ｄ1，ｄ2)と共に、１つの基準マーク(ｍ1)および複数の図柄マーク(ｍ2)を適宜形成配置して回転体(１９，２０，２６)の外周間に無端状態で掛装された図柄ベルト(Ｂ)と、この図柄ベルト(Ｂ)の移動過程における所定検出部位で基準マーク(ｍ1)と図柄マーク(ｍ2)とを区分検出する光学的な検出判読手段(３１)とを備えたベルト式図柄可変表示装置であって、検出判読手段３１の光学センサ３２，３２がその発光部と受光部との間の検出照射状態にあって、マークｍ1，ｍ2に対しては非光透過状態、つまり実質的には光遮閉状態(光反射状態)を、また図柄ｄ1，ｄ2の各色彩部に対しては好適な光透過状態を夫々呈し、基準マークｍ1を同期的に検出した時点を基準にして、各位置の図柄マークｍ2を順次有検出することにより、１コマ単位毎の読取り検出をなし得る、図柄組合わせ遊技機用のベルト式図柄可変表示装置。」
　　　　　　　　　　　　　　　　　　　　　　　　　　　　　　　　　
（２）対比 　 　 
　本願補正発明と引用発明１とを対比すると次のことがいえる。
(i) 引用発明１は、「ドラム面には多種類の図柄を印刷したシール等が貼付され」た「各回転ドラムｌｌａ，ｌｌｂ，１１ｃを回転駆動する複数のパルスモータ１３ａ，１３ｂ，１３ｃ」を備えた「パチンコ遊技機」であり、引用発明１における上記「多種類の図柄」は本願補正発明における「複数の絵柄」に相当しており、同様に、「パルスモータ１３ａ，１３ｂ，１３ｃ」は「ステッピングモーター」に、「ドラムｌｌａ，ｌｌｂ，１１ｃ」は「回転リール」に、それぞれ相当しており、また、引用発明１における「パチンコ遊技機」は、本願補正発明における「遊技機」に包含されるとともに、同じく「パチンコ遊技機用（のドラムｌｌａ，ｌｌｂ，１１ｃ）」は、「遊技機用（の回転リール）」に包含されるものである。
　そうすると、引用発明１は、本願補正発明を特定する「複数の絵柄を外周面に表示し、ステッピングモーターにより回転可能に形成された遊技機用の回転リール」の事項に相当する構成を備えている。　　　　　　　　　　　　　　　　　　　　　　　　　　　　　　　　　
(ii) 引用発明１は、「各回転ドラムｌｌａ，ｌｌｂ，１１ｃを回転させ」て、「照射した光が基準点である反射テープ１２ａ，１２ｂ，１２ｃで反射され、この反射光を検知してそれぞれ出力信号を出力することで基準点を検出」する「フォトセンサ１４ａ，１４ｂ，１４ｃ」を備えており、該「フォトセンサ１４ａ，１４ｂ，１４ｃ」は、「光」を「照射」する発光部及び、「反射光を検知」する受光部を備えていることが明らかであり、実質上、本願補正発明における「発光部及び受光部からなる光センサー」に包含されるものといえる。
　引用発明１において、上記「フォトセンサ１４ａ，１４ｂ，１４ｃ」による「基準点」の「検出」は、その技術的意義に照らすと、「基準点」を「検出」することで、「回転ドラムｌｌａ，ｌｌｂ，１１ｃ」（「回転リール」）の一回転を検出するものであることが明らかである。
　さらに上記(i)に記載したように、引用発明１における「パチンコ遊技機用のドラムｌｌａ，ｌｌｂ，１１ｃ」は、「遊技機用の回転リール」に包含されるものであり、同引用発明１は、実質的に、遊技機用の回転リール装置に関する発明であるといえる。
　そうすると、本願補正発明と引用発明１とは、「回転リールの一回転を検出するために発光部及び受光部からなる光センサーとを備えた遊技機用の回転リール装置」である点で共通している。　　
                                             　　　　　　　　　　
(iii) 引用発明１は、「各回転ドラムｌｌａ，ｌｌｂ，１１ｃのドラム内に配設され、それぞれの回転軸に各回転ドラムｌｌａ，ｌｌｂ，１１ｃが取付けられることで各回転ドラムｌｌａ，ｌｌｂ，１１ｃを回転駆動する複数のパルスモータ１３ａ，１３ｂ，１３ｃ」を備えており、「パルスモータ１３ａ，１３ｂ，１３ｃ」の「回転軸」への「回転ドラムｌｌａ，ｌｌｂ，１１ｃ」の「取付け」は、軸受部を介して行われることが明らかであり、さらに引用例１の図面第２図を参照すると、「回転ドラムｌｌａ，ｌｌｂ，１１ｃ」が実質的に備えている上記軸受部は、該軸受部を支持する支持部材を介して円筒状の「ドラム面」の一側に連結されていることが見てとれる。
　すなわち、同引用発明１における「回転ドラムｌｌａ，ｌｌｂ，１１ｃ」（「回転リール」）は、「パルスモータ１３ａ，１３ｂ，１３ｃ」（「ステッピングモータ」）の「回転軸」（本願補正発明における「駆動軸」に相当する。）に装着される軸受部と、この軸受部を支持する支持部材と、この支持部材と連結された一側を有する円筒部材とを備えている、ということができる。
　一方、本願補正発明は、「回転リールは、ステッピングモータの駆動軸に装着される軸受部と、この軸受部から放射状に延びた複数本の放射部材と、この放射部材の先端と環状に連結された一側を有する円筒部材とを備え」ており、「軸受部から放射状に延びた複数本の放射部材」は、その機能に照らすと、「軸受部を支持する支持部材」と包括し、同様に「放射部材の先端と環状に連結され（た一側を有する円筒部材）」は「支持部材と連結され（た一側を有する円筒部材）」と包括して、それぞれ表現することができる。
　そうすると、本願補正発明と引用発明１とは「回転リールは、ステッピングモータの駆動軸に装着される軸受部と、この軸受部を支持する支持部材と、この支持部材と連結された一側を有する円筒部材とを備え」ている点で共通しているといえる。　　
　　　　　　　　　　　　　　　　　　　　　　　　　　　　　　　　　
(iv) 上記(iii)に記載したように、引用発明１における「回転ドラムｌｌａ，ｌｌｂ，１１ｃ」（「回転リール」）は、「ドラム面」を形成する円筒部材を備えており、該円筒部材の円筒状の「ドラム面」（本願補正発明における「外周表面」に相当する。）には「多種類の図柄を印刷したシール等が貼付される」ことで絵柄領域が形成されているといえる。
　そうすると、引用発明１は、本願補正発明を特定する「この円筒部材は、円筒状の外周表面に複数種類の絵柄を表示した絵柄領域と（を備え）」の事項に相当する構成を備えている。
　　　　　　　　　　　　　　　　　　　　　　　　　　　　　　　　　
(v) 上記(ii)に記載したように、 引用発明１は、「回転ドラムｌｌａ，ｌｌｂ，１１ｃ」（「回転リール」）の一回転を検出可能に構成されており、当該検出のための領域を「検出領域」と表現することができる。
　引用発明１が備える上記「検出領域」は、「基準点としての反射テープ１２ａ，１２ｂ，１２ｃが貼付された回転ドラムｌｌａ，ｌｌｂ，１１ｃの各縁の部分」に「配設され」（摘示1-c）るものであり、さらに引用例１の図面第２図を参照すると、上記「縁の部分」は、上記(iii)に記載した「支持部材」とは「連結」されていない側に設けられているとともに、上記(iv)に記載した「絵柄領域」の片側に隣接していることが見てとれる。
　すなわち、同引用発明１は、「絵柄領域の片側に隣接し、前記支持部材とは連結されていない側に設けられた、一回転を検出可能な検出領域とを備え」ているということができる。                             
　一方、本願補正発明は、「この絵柄領域の片側に隣接し、前記放射部材とは連結されていない側に設けられた、発光部及び受光部により表裏を挟み込まれて一回転を検出可能な透光性を有するインデックス領域とを備え」ており、「発光部及び受光部により表裏を挟み込まれ」る、「透光性を有するインデックス領域」を「検出領域」と包括的に表現することができる。
　そうすると、本願補正発明と引用発明１とは、「この絵柄領域の片側に隣接し、前記支持部材とは連結されていない側に設けられた、一回転を検出可能な検出領域とを備え」ている点で共通しているといえる。
　　　　　　　　　　　　　　　　　　　　　　　　　　　　　　　　　
(vi) 上記(v)に記載したように、引用発明１は「一回転を検出可能な検出領域」を備えており、この「検出領域」には、「光センサー」により検出される、「基準点である反射テープ１２ａ，１２ｂ，１２ｃ」が形成されるものであり、該「基準点である反射テープ１２ａ，１２ｂ，１２ｃ」を「検出部」と表現することができる。
　引用発明１は、「照射した光」が「基準点」である上記「検出部」で「反射され、この反射光を検知」することで「検出部」を検出し、さらに「検出部」からの「パルスモータの駆動ステップ数に基づいて上記回転ドラムを所定の位置に停止させる」ものである。
　上記において、「所定の位置」とは、「所定」の「図柄」（「絵柄」）の「位置」であり、「基準点」である「検出部」との位置関係が「パルスモータの駆動ステップ数」として予め決定されているものである。
　以上より、引用発明１が備える上記構成を、「検出領域は、回転リールの一回転に伴って光センサーにより検出される、所定の絵柄との位置関係が予め決定された検出部が形成される」と表現することができる。
　一方、本願補正発明は、「このインデックス領域は、回転リールの一回転に伴って光センサーの発光部と受光部との間を遮光する、所定の絵柄との位置関係が予め決定された遮光部が形成されるとともに、回転リールの円周方向の全周に渡って前記発光部からの光を前記受光部へ透過可能な程度に、絵柄領域よりも厚さが薄く形成されている」ものであり、上記(v)に記載したように、「インデックス領域」を「検出領域」と包括的に表現することができ、さらに上記「遮光部」を「検出部」と包括して表現することができる。
　すなわち、本願補正発明が備える上記発明特定事項を「この検出領域は、回転リールの一回転に伴って光センサーにより検出される、所定の絵柄との位置関係が予め決定された検出部が形成される」と包括して表現することができるから、本願補正発明と引用発明１とは、「この検出領域は、回転リールの一回転に伴って光センサーにより検出される、所定の絵柄との位置関係が予め決定された検出部が形成される」点で共通しているといえる。
　　　　　　　　　　　　　　　　　　　　　　　　　　　　　　　　　
(vii) 上記(ii)に記載したように、本願補正発明も引用発明１も、ともに遊技機用の回転リール装置に関する発明であるといえる。
　　　　　　　　　　　　　　　　　　　　　　　　　　　　　　　　　
　以上の事項より、本願補正発明と引用発明１とは以下の点で一致し、また、相違していると認められる。
一致点；
　複数の絵柄を外周面に表示し、ステッピングモーターにより回転可能に形成された遊技機用の回転リールと、この回転リールの一回転を検出するために発光部及び受光部からなる光センサーとを備えた遊技機用の回転リール装置であって、前記回転リールは、ステッピングモータの駆動軸に装着される軸受部と、この軸受部を支持する支持部材と、この支持部材と連結された一側を有する円筒部材とを備え、この円筒部材は、円筒状の外周表面に複数種類の絵柄を表示した絵柄領域と、この絵柄領域の片側に隣接し、前記支持部材とは連結されていない側に設けられた、一回転を検出可能な検出領域とを備え、この検出領域は、回転リールの一回転に伴って光センサーにより検出される、所定の絵柄との位置関係が予め決定された検出部が形成される、遊技機用の回転リール装置、である点。
　　　　　　　　　　　　　　　　　　　　　　　　　　　　　　　　　
相違点；                             
(A) 支持部材が、本願補正発明では、軸受部から放射状に延びた複数本の放射部材であり、放射部材の先端と円筒部材の一側とが環状に連結されているのに対して、引用発明１では、軸受部から放射状に延びた複数本の放射部材でなく、円筒部材の一側との具体的な連結構造は明らかでない点。
　　　　　　　　　　　　　　　　　　　　　　　　　　　　　　　　　
(B) 検出部が、本願補正発明では、光センサーの発光部と受光部との間を遮光する遮光部であるのに対して、引用発明１では、照射した光が反射テープ１２ａ，１２ｂ，１２ｃに反射され、その反射光がフォトセンサ１４ａ，１４ｂ，１４ｃにより検出される反射部である点。
　　　　　　　　　　　　　　　　　　　　　　　
(C) 検出領域が、本願補正発明では、発光部及び受光部により表裏を挟み込まれる、透光性を有するインデックス領域であり、回転リールの円周方向の全周に渡って前記発光部からの光を前記受光部へ透過可能な程度に、絵柄領域よりも厚さが薄く形成されているのに対して、引用発明１では、光センサーにより表裏を挟み込まれる、透光性を有する領域でなく、回転リールの円周方向の全周に渡って絵柄領域よりも厚さが薄く形成されていない点。
　　　　　　　　　　　　　　　　　　　　　　　　　　　　　　　　　
（３）判断
　上記の相違点について検討する。
　相違点(A)について
　遊技機用の回転リール装置において、ステッピングモータの軸受部を支持する支持部材を、上記軸受部から放射状に延びた複数本の放射部材により構成するとともに、該放射部材の先端とリールの円筒部材の一側とを環状に連結することは、下記に周知例１ないし３として例示するように周知技術であり、当該周知技術を参酌して、引用発明１におけるステッピングモータの軸受部を支持する支持部材を放射状に延びた複数本の放射部材により構成するとともに、該放射部材の先端と「ドラムｌｌａ，ｌｌｂ，１１ｃ」の一側とを環状に連結することは当業者が適宜になし得る単なる設計事項にすぎない。
　　　　　　　　　　　　　　　　　　　　　　　　　　　　　　　　　
　相違点(B)について
　引用発明２は、図柄組合わせ遊技機用のベルト式図柄可変表示装置における「基準マーク(ｍ1)」を、「検出判読手段３１の光学センサ３２，３２」の発光部と受光部との間を遮光する「遮光部」として構成したもので、相違点(B)に係る構成を備えている。
　ところで、引用発明２に係る図柄可変表示装置はベルト式として構成されており、引用発明１や本願補正発明のようにドラム式ではない。
　しかしながら、引用発明１（本願補正発明）も引用発明２も、所定の図柄（絵柄）との位置関係が予め決定された基準点を、回転体の一回転に伴って検出することで当該図柄（絵柄）の位置を検出するという共通の検出原理に基づくものであり、共通の検出原理を用いる検出手段は、回転体がベルト式であるか、ドラム式であるかを問わず、基本的には相互に適用が可能なものといえる。
　しかも、遊技機の可変表示に用いる、図柄を印刷した帯状体は、図柄の位置検出手段を備えて、ベルト式、ドラム式の両方式において用いられている（必要あれば、例えば、特開平６−２４６０４４号公報、特開平６−２４６０３３号公報等があげられる。）。
　以上を総合勘案すると、引用発明２が備える、「光学センサ」の発光部と受光部との間を遮光する「遮光部」によって、ドラム式の図柄可変表示装置の基準位置を検出可能なことは、引用例２に接した当業者にとって明らかなことというべきであり、引用発明１における検出部である「反射テープ１２ａ，１２ｂ，１２ｃ」に替えて、引用発明２が備える、「光学センサ」の発光部と受光部との間を遮光する「遮光部」を適用して、相違点(B)に係る構成を得ることに格別な技術的困難性は認められない。
　　　　　　　　　　　　　　　　　　　　　　　　　　　　　　　　　
　相違点(C)について
　「相違点(B)について」に記載したように、引用発明１における「検出部」である、「フォトセンサ１４ａ，１４ｂ，１４ｃ」により検出される「反射テープ１２ａ，１２ｂ，１２ｃ」に替えて、引用発明２における「検出部」である、「光学センサ」の発光部と受光部との間を遮光する「遮光部」を適用することに格別な技術的困難性は認められない。
　引用発明１における「検出部」を「遮光部」により形成するという上記の改変に伴って、同引用発明１における「検出領域」の、上記「検出部」以外の領域は、必然的に、発光部及び受光部により表裏を挟み込まれる、透光性を有する領域となり、実質上、本願補正発明が備える「インデックス領域」に相当する領域となる。
　ここで、「光学センサ」の発光部及び受光部により表裏を挟み込んで「遮光部」を検出するという検出方式においては、発光部からの光が「検出領域」を厚さ方向に透過した後に受光部で検出されることから、「検出領域」の厚さは検出が可能なものとすることは必須であり、引用発明１における上記「検出領域」の厚さを、発光部からの光が受光部へ透過可能な程度に薄く形成することは、当業者にとって自明な事項というべきであり、当該領域は、上記「（２）(v)」に記載したように、「回転ドラム」（「回転リール」）の円周方向の全周に渡るものである。
　これに対して、引用発明１における「非検出領域」である、「多種類の図柄を印刷したシール等が貼付され」た領域（「絵柄領域」）は、強度の確保等の要請に応じて厚さを設定すべきものであり、設定される厚さによっては、上記した「検出領域」の厚さは、上記「多種類の図柄を印刷したシール等が貼付され」た領域（「絵柄領域」）よりも薄く形成されることとなる。
　以上より、相違点(C)に係る構成は、単なる設計事項にすぎない。
　　　　　　　　　　　　　　　　　　　　　　　　　　　　　　　　　
　そして、相違点(A)ないし(C)に係る発明特定事項を備えた本願補正発明の効果も、引用発明１並びに引用発明２及び周知技術が本来奏する効果から当業者が予測し得る範囲内のものであって、格別顕著なものとはいえない。
　したがって、本願補正発明は、周知技術を参酌し、引用発明１及び引用発明２に基いて、当業者が容易に発明をすることができたものであるから、特許法第２９条第２項の規定により特許出願の際独立して特許を受けることができない。
　　　　　　　　　　　　　　　　　　　　　　　　　　　　　　　　　
【周知例】
周知例１：特開平６−９８９６４号公報
　リールドラム80と、このリールドラム80の外周部に巻かれたリールテープ90とから各回転リール12〜14が構成されており、上記リールドラム80は、ステッピングモータ60の出力軸に直結される中央の軸受部81と、この軸受部81から放射状に延びた複数本の連結部82と、これらの連結部82の先端部を環状につなぐ円筒形のリング部83とから構成されているスロットマシン。（段落【００２０】、図５）
　　　　　　　　　　　　　　　　　　　　　　　　　　　　　　　　　
周知例２：特開平７−１４４０４０号公報
　リール枠体２，３間に連結保持されるリールストリップ４を有し、リール枠体２は、上記リールストリップ４の一側縁を保持する環状部２ａと、この環状部２ａから半径方向内方に向けて延びるスポーク部２ｂと、このスポーク部２ｂの内端部に連結される中心取付け部２ｃとを有して構成される、スロットマシンのリール支持構造。（段落【００２３】、図２）
 　　　　　　　　　　　　　　　　　　　　　　　　　　　　　　　　　
周知例３：特開昭６３−２５２１８７号公報
　モータ３１の出力軸３２への固定部１１と、この固定部１１からモータ３１の出力軸３２に垂直な方向に突設させたハリ１２と、このハリ１２の先端部をリング状に連続固定するように設けられたフチ１３とから形成されたリール１０を備えたスロットマシン。（第３頁左上欄第３−８行、第３図）
　　　　　　　　　　　　　　　　　　　　　　　　　　　　　　　　　
（４）むすび
　以上のとおり、本件補正は、平成１８年改正前の特許法第１７条の２第５項において準用する同法第１２６条第５項の規定に違反するものであり、特許法第１５９条第１項の規定において読み替えて準用する同法第５３条第１項の規定により却下されるべきものである。
　　　　　　　　　　　　　　　　　　　　　　　　　　　　　　　　　
３．本願発明について
　平成１６年３月１７日付けの手続補正は上記のとおり却下されたので、本願の請求項１に係る発明（以下、「本願発明」という。）は、平成１５年１１月２８日付け手続補正書の特許請求の範囲の請求項１に記載された事項により特定される、以下のとおりのものである。
「複数の絵柄を外周面に表示し、ステッピングモーターにより回転可能に形成された遊技機用の回転リールと、
　この回転リールの一回転を検出するために発光部及び受光部からなる光センサーとを備えた遊技機用の回転リール装置であって、
　前記回転リールは、その外周表面に複数種類の絵柄を表示した絵柄領域と、この絵柄領域片側の全周に隣接するとともに、発光部及び受光部により表裏を挟み込まれて一回転を検出可能な透光性を有するインデックス領域とを備え、
　このインデックス領域は、回転リールの一回転に伴って光センサーの発光部と受光部との間を遮光する、所定の絵柄との位置関係が予め決定された遮光部が形成されるとともに、全周に渡って絵柄領域よりも厚さが薄く形成されていることを特徴とする遊技機用の回転リール装置。」
　　　　　　　　　　　　　　　　　　　　　　　　　　　　　　　　　
（１）引用発明
　原査定の拒絶の理由に引用された引用例、および、その記載事項は、前記「２．（１）」に、関連する周知技術は前記「２．（３）」に、それぞれ記載したとおりである。
　　　　　　　　　　　　　　　　　　　　　　　　　　　　　　　　　
（２）対比・判断
　本願発明は、前記２．で検討した本願補正発明を特定する「回転リールは、ステッピングモータの駆動軸に装着される軸受部と、この軸受部から放射状に延びた複数本の放射部材と、この放射部材の先端と環状に連結された一側を有する円筒部材とを備え、この円筒部材は、円筒状の外周表面」について、「（回転リールの）外周表面」と、同じく本願補正発明を特定する「絵柄領域の片側に隣接し、前記放射部材とは連結されていない側に設けられた」について、「絵柄領域片側の全周に隣接するとともに」と、さらにまた、本願補正発明を特定する「回転リールの円周方向の全周に渡って前記発光部からの光を前記受光部へ透過可能な程度に、」について、「全周に渡って」と、それぞれ、限定事項を省いてより広義な概念で特定されるものである。
　そうすると、本願発明における発明特定事項を全て含み、さらに他の限定事項を付加して、より狭義な概念で特定される本願補正発明が、前記「２．（３）」に記載したとおり、周知技術を参酌し、引用発明１及び引用発明２に基いて、当業者が容易に発明をすることができたものであるから、限定事項を省いてより広義な概念で特定される本願発明も、周知技術を参酌し、引用発明１及び引用発明２に基いて当業者が容易に発明をすることができたものである。
　　　　　　　　　　　　　　　　　　　　　　　　　　　　　　　　　
（３）むすび
　以上のとおり、本願発明は、特許法第２９条第２項の規定により特許を受けることができない。
　よって結論のとおり審決する。